(57)【要約】【課題】  遠隔地の障害状況、品質保全状況を管理するために、デジタルカメラで現場の写真を撮影し、かつ、その写真の内容をメモし、その後事務所で手動にて写真をＰＣに取り込み、メモを見ながら編集、帳票出力等、煩雑な業務を行う必要があったが、これらを自動化する。【解決手段】  携帯カメラで撮影した写真をメールで送信後、その写真の説明を音声でデータベースまたはファイルに登録、撮影された写真と録音された音声はブログシステムを通して、複数の拠点から参照、編集、分類、帳票出力することができ、カメラ付き携帯電話があれば現場の状況をリアルタイムに報告し、かつその後の手作業をほぼ自動化できるので、写真で管理する様々な業務を効率化できることを特徴とする。【選択図】図１
2009146369.tif 000002
【特許請求の範囲】
【請求項１】
音声ブログシステムの投稿者は、カメラ付き携帯電話で撮影した写真（必要に応じて入力したテキストも）、をコンピュータシステムにより構築された音声ブログシステムにメールで送信し、その後、音声ブログシステムからの確認メールを元に、音声ブログシステムに電話し、電話網を経由し、前記写真と音声をひもづけるユニークなＩＤとその写真とその写真を説明する音声および必要に応じてテキストを、ブログのカテゴリ識別子を自動でデータベースやファイルに登録し、撮影された写真と録音された音声等はブログを通じて、複数の拠点で、ＰＣおよび携帯電話を利用して、参照、編集、帳票出力を行えるシステム。
【請求項２】
前記音声ブログシステムは、写真と音声をひもづけるユニークなＩＤを生成し、前期音声ブログシステムからの確認メールで送付する。これにより音声ブログシステムのデータベースまたはファイルに画像、音声、テキストのマルティメディア情報を一括管理できる。
【請求項３】
前記音声ブログシステムは電話回線が接続され、その電話番号を前記確認メールで送付し、投稿者は１クリックで音声ブログシステムに電話できる。その後、写真にひもづけられるＩＤの送信と音声通話による音声の録音を行い、ブログに投稿することにより、画像、音声、テキストのマルティメディア情報をデータベースまたはファイルに保存し、管理できる。
【請求項４】
前記音声ブログシステムのオプション機能として、予め設定出来る仕様等の情報をＱＲコード一覧にしておき写真撮影の際に該当する仕様のＱＲコードデータを携帯で影読み込み、写真と同様に情報としてサーバーに送ることにより、より詳細の情報を音声ブログシステムに保存、管理することができる。
【請求項５】
前記音声ブログシステムの管理者は、ユーザー管理、ブログ管理等音声ブログシステムの全ての管理を行う。ユーザー管理では、ユーザーの登録、権限設定、パスワード設定、携帯電話番号、携帯メールアドレス、変更、削除等を行う。
ユーザの権限は、管理者・投稿者・閲覧者等の区分があり、管理者は音声ブログシステムの全システムの管理権限を有する絶対的な権限を有し、投稿者は管理者に指定された１つ以上のブログへの投稿・編集権限を有し、閲覧者は管理者に指定された１つ以上のブログの閲覧のみを行える。
【発明の詳細な説明】
【技術分野】
【０００１】  本発明は、一般のブログ機能に携帯電話を利用した写真と音声をセキュリティも考慮し、投稿、編集、帳票出力機能を付加したもの。
【背景技術】
【０００２】  従来、一般のブログに写真や音声を投稿できるものがあるが、これは、一般コンシューマ向けに、従来のブログに付加的に機能追加したもので、音声と写真を一括登録できる等の柔軟な機能やセキュリティへの配慮がなく、企業・団体向けの業務に利用できるものではなかった。
【発明の開示】
【発明が解決しようとする課題】
【０００３】  上述の如く、従来のブログでは、業務に利用できないため、写真管理等ではデジタルカメラ等で撮影し、それを手作業でＰＣに入力し、業務に利用できるようにカテゴリに分類したり、編集・帳票出力しなければならなかった。【０００４】  また、デジタルカメラにはその撮影した写真への説明が付加されないため、撮影した写真の状況を忘れてしまうケースもありえた。【０００５】  本発明は、このような点に鑑みてなされたものであり、その目的は、写真の管理を、携帯電話を利用して、音声で容易に写真の説明を写真とともに遠隔地から自動的にデータベースまたはファイルにカテゴリに分類・保存し、編集や帳票出力は後ほど、都合のつくときに行うことにより、業務の効率化を大幅に高めることができることである。
【発明の効果】
【０００６】  以上説明したように本発明によれば、携帯電話が有する写真撮影機能とメール機能を利用して、シンプルな操作で遠隔地から自動で写真と音声等連携して保存を行い、その情報共有や管理をインターネットの利用により複数の場所で行えるため、写真の管理等の効率化に極めて有効である。
【発明を実施するための最良の形態】
【０００７】  以下、本発明の実施の形態を図面に基づき詳細に説明する。図１は本発明を実施するにあたり、コンピュータやネットワーク上で実施されるシステム論理構成図である。【０００８】  音声ブログシステム利用に先立ち、管理者１はブログの作成、そのブログのカテゴリの作成、通事業者から割り当てられた電話番号の設定、ユーザーの登録等を行う。
ユーザーの登録等は、ユーザー名、パスワード、ユーザーの携帯電話番号、携帯メールアドレス、権限、参照や編集ができるブログ毎またはブログ全ての指定等のことであり、これらの登録情報はＶＢＳ管理データベース１１に保存される。
ユーザー権限の種別として、管理者１・投稿者２・閲覧者３があり、音声ブログシステムへのログイン時にユーザー名とパスワード等で認証するものとする。管理者１は、音声ブログシステム全ての操作を実行できる特別な権限であり音声ブログシステムの管理を行う者に付与される。投稿者２は、管理者１により指定された１つのブログの投稿、編集、削除等の権限を有するものである。閲覧者３は、管理者１に指定された１つ以上のブログの閲覧のみの権限を有するものである。
なお、音声ブログシステム運用開始後、適宜、管理者１はこれらの管理データの修正・追加・削除を行える。【０００９】  音声ブログシステムを後述する閲覧、編集等の操作を行う場合、音声ブログシステムにログインする必要があるが、この際、ユーザー名とパスワード等で認証するものとし、前記認証データーは認証受付部１３で受付、その後、携帯ユーザー情報管理部７がＶＢＳ管理データベースを参照することにより、正規のユーザーかどうかの判定や、ユーザーの権限付与を行うものとする。【００１０】    投稿者２は、携帯電話のカメラ機能を利用して写真を撮影する。【００１１】  投稿者２は、撮影した写真と必要に応じてテキストを入力し、予め定められている音声ブログシステム用に割り当てられたメールアドレスあてにメールする。このメールを受信するのは、既存のＳＭＴＰやＰＯＰを利用できるメールサーバ４でよく、音声ブログシステムを利用するために新たに設置を必要とするものではない。【００１２】  上記で受信されたメールは、音声ブログシステムのメール送受信部５で受信され、メール情報記録部６が携帯ユーザー情報管理部７を経由してＶＢＳ管理データベース１１を参照することにより正規のユーザーかどうかを判断し、正規のユーザーであれば送信元のメールアドレスからユーザーを特定し、メール本文と写真データをメール・画像データ８に格納し、画像をサムネイルに変換する。【００１３】  メール情報記録部６は、上記メール本文と写真データにひもづける固有のＩＤを生成し、通信事業者から音声ブログシステム（ＶＢＳ）に割り当てられた電話番号、ＩＤ、画像のサムネイル、カテゴリ情報のＵＲＬを、メール送受信部５の処理によりメールサーバー４から投稿者２の携帯電話にメールする。【００１４】  投稿者２は受信したメールに記載されているカテゴリ情報のＵＲＬをクリックすることによりカテゴリ情報識別子を確認し、前記電話番号にクリックして音声ブログシステムに電話をする。【００１５】  音声応答部１０は上記電話を着信し、携帯ユーザー情報管理部７経由ＶＢＳ管理データベース１１を検索し、正規の着信電話番号かを判断し、正規の電話番号であれば、投稿者２に音声ガイダンスで、投稿の指示、ＩＤ入力の指示、ブログのカテゴリ識別子の入力指示等を行う。投稿者２はこの指示に基づき携帯電話のプッシュボタンで入力する。【００１６】  音声応答部１０は、ガイダンスにより投稿者２に音声通話を促すメッセージを発信する。投稿者２は自身が撮影し、メールした写真の説明を音声で発信し、音声応答部１０経由で音声データに格納する。それと同時に先のＩＤにより当該投稿者と画像、音声をひもづけし、投稿者２の指示のもと、画像、音声、テキストのマルティメディア情報をブログデータベース１２にリアルタイム、かつ、自動的に格納する。その際、ブログのカテゴリに自動的に分類されるため、業務効率の向上が見込める。【００１７】  閲覧権限のあるユーザーは、インターネットを介して、ＰＣまたは携帯電話のブラウザを利用してマルティメディア情報で投稿されたブログをどこからでも閲覧可能である。投稿者２は管理者１により許可されたブログの編集・削除をＰＣのブラウザでどこからでも行うことができる。���た、投稿者２および閲覧者は、同様にブログ内容の帳票の出力を行える。
【実施例】
【００１８】  建設業者は、写真により現場の状況や品質の管理を行わなければならない。従来は、管理に必要な大量の写真をデジタルカメラで撮影し、その写真に関するメモを現場で行う必要があった。さらに、事務所等に行き、ＰＣにデジタルカメラで撮影した写真を入力して、手作業でメモを見ながら、写真を分類、テキストによる編集、帳票出力を行う必要があった。
本発明を利用することにより、上記の手作業のほとんどが自動化される。また、上記メモは携帯電話で入力が煩わしいテキストでなく、録音された音声を聞くことにより容易に写真の説明を行えることが可能となり、効率の向上が図られる。【００１９】  以上、本発明の実施の形態および実施例を説明したが、本発明の範囲はこれに限定されるものではない。例えば、予め設定出来る仕様等の情報をＱＲコード一覧にしておき、写真とともに写真撮影の際に該当する仕様のＱＲコードデータを携帯電話のカメラで撮影読み込み、写真と同様に情報としてメールサーバー４に送信し、建設関係においては、例えば配筋写真の場合、部位、配筋リスト等のＱＲコードリストから情報をメール・画像データ８に保存するとより詳細の管理が可能で、また、同じような写真を数多く集中して撮影する場合などには威力を発揮する。【００２０】  また、実施形態では、写真という静止画の管理として説明しているが、動画像でも同様な管理を行うことが可能である。【００２１】  さらに、最近の携帯電話はＧＰＳ機能を有しているため、写真の撮影場所をブログ上で管理が可能である。
【産業上の利用可能性】
【００２２】  本発明は、写真管理が必要な建設業界等で利用することができる。
【図面の簡単な説明】
【００２３】
【図１】  本発明の実施に関わるコンピュータおよびネットワーク上のシステム論理構成図である。
【符号の説明】
【００２４】１．    管理者
２．    投稿者
３．    閲覧者
４．    メールサーバー
５．    メール送受信部
６．    メール情報記録部
７．    携帯ユーザー情報管理部
８．    メール・画像データ
９．    音声データ
１０．  音声応答部
１１．  ＶＢＳ管理データベース
１２．  ブログデータベース
１３．  認証受付部
【図１】
2009146369.tif 000003